(57)【特許請求の範囲】
【請求項１】
磁気カードを通す磁気カード通路を有し、前記磁気カード通路に、前記磁気カード通路を通る磁気カードから磁気情報を読み取る磁気ヘッドを設けた磁気カード案内部材と、
前記磁気情報の送信に用いられる暗号鍵を記憶する揮発性メモリを搭載した基板と、
前記磁気カード案内部材と前記基板とを内部に収容した状態で筐体に取り付けられ、前記筐体に前記磁気カード案内部材と前記基板とを固定するフレーム部材と、
前記フレーム部材の内部に設けられ、前記フレーム部材と前記筐体との状態が変更したことを感知する感知部と、
前記感知部により前記フレーム部材と前記筐体との状態が変更したことが感知されると、前記揮発性メモリに記憶されている内容を消去する制御部とを備え、
前記フレーム部材の内側に、前記基板を前記磁気カード案内部材の下方に配置して収納させ、前記フレーム部材は、前記基板の周囲を囲う側壁、及び前記磁気ヘッドの外方に位置する側壁を備えたことを特徴とする磁気カード読取装置。
【請求項２】
前記感知部は、前記基板に設けられた感圧導電部材と、前記磁気カード案内部材と前記基板との間に設けられ、前記磁気カード読取装置を前記筐体に取り付けると、前記磁気カード案内部材に押圧されて、前記感圧導電部材の導通状態を変更させる感圧部材とからなることを特徴とする請求項１に記載の磁気カード読取装置。
【請求項３】
前記磁気カード読取装置は、バッテリを更に具備し、前記バッテリにより前記揮発性メモリの記憶内容を保持させ、一方、前記バッテリから前記揮発性メモリへの導通を遮断することにより前記揮発性メモリに記憶されている内容を消去させ、前記磁気情報の送信を不能にすることを特徴とする請求項１又は２に記載の磁気カード読取装置。
【請求項４】
情報処理機能を備えた本体部と、
前記本体部に設けられ、前記本体部からの画像内容を表示する表示部と、
磁気カードを通す磁気カード通路を有し、前記磁気カード通路に、前記磁気カード通路を通る磁気カードから磁気情報を読み取る磁気ヘッドを設けた磁気カード案内部材と、前記磁気情報の送信に用いられる暗号鍵を記憶する揮発性メモリを搭載した基板と、前記磁気カード案内部材と前記基板とを内部に収容した状態で筐体に取り付けられ、前記筐体に前記磁気カード案内部材と前記基板とを固定するフレーム部材と、前記フレーム部材の内部に設けられ、前記フレーム部材と前記筐体との状態が変更したことを感知する感知部と、前記感知部により前記フレーム部材と前記筐体との状態が変更したことが感知されると、前記揮発性メモリに記憶されている内容を消去する制御部とを備え、前記フレーム部材の内側に、前記基板を前記磁気カード案内部材の下方に配置して収納させ、前記フレーム部材は、前記基板の周囲を囲う側壁、及び前記磁気ヘッドの外方に位置する側壁を備えた磁気カード読取装置と、
前記本体部に取り付けられ、前記表示部と前記磁気カード読取装置とを収納する筐体と、
前記磁気カード読取装置の内部に設けられ、前記磁気カード読取装置が前記筐体から取り外されたことを感知する感知部と、
前記本体部が、前記磁気カード読取装置が正規なものであることを、予め定められた鍵を用いて確認する確認手段と、を備え、
前記磁気カード読取装置が前記筐体から取り外されたことが前記感知部により感知されると、前記磁気カード読取装置は前記鍵を前記確認手段において無効な鍵とし、前記本体部が、前記鍵により前記磁気カード読取装置を正規なものと認定しないことを特徴とする電子機器。
【請求項５】
前記磁気カード読取装置は、揮発性メモリとバッテリとを更に具備し、前記鍵を前記揮発性メモリに記憶させ、前記揮発性メモリへの前記バッテリからの通電を遮断することにより前記鍵を前記揮発性メモリから消去して、前記鍵を前記確認手段において無効な鍵とすることを特徴とする請求項４に記載の電子機器。
【発明の詳細な説明】
【技術分野】
【０００１】
本発明の実施形態は、タンパスイッチを備えた磁気カード読取装置及びこの磁気カード読取装置を備えた電子機器に関する。
【背景技術】
【０００２】
磁気カードリーダに不正改造が行なわれ、磁気カードリーダで読み込んだ磁気情報が不正に取得されてしまうことがある。かかる不正行為を防止するため、磁気カード読取装置を備えた電子機器に、タンパスイッチを設けることがある。タンパスイッチは、例えば磁気カード読取装置が設けられているケース等、不正に開けられるおそれのあるケースに設けられ、そのケースが開けられると、スイッチが作動する。そして、タンパスイッチの作動により、その後の電子機器の作動を不能としたり、磁気カード処理に関する記憶内容を消去したりして、不正改造による不正使用を防止する。
【先行技術文献】
【特許文献】
【０００３】
【特許文献１】特開２００５−５６４３９号公報
【発明の概要】
【発明が解決しようとする課題】
【０００４】
しかしながら、正規な修理を行う場合においても、ケースを開けることによりタンパスイッチが作動し、電子機器の作動が不能になることがある。そのため、タンパスイッチが設けられた電子機器は、ケースを不用意に開けることができず、通常の修理においても手間が掛かることがあった。
【０００５】
本発明が解決しようとする課題は、タンパスイッチによる修理の困難さを解消した磁気カード読取装置及び電子機器を提供することである。
【課題を解決するための手段】
【０００６】
磁気カードを通す磁気カード通路を有し、磁気カード通路に、磁気カード通路を通る磁気カードから磁気情報を読み取る磁気ヘッドを設けた磁気カード案内部材と、磁気情報の送信に用いられる暗号鍵を記憶する揮発性メモリを搭載した基板と、磁気カード案内部材と基板とを内側に収容した状態で筐体に取り付けられ、磁気カード案内部材と基板とを筐体に固定するフレーム部材とを備えている。又、磁気カード読取装置は、フレーム部材と筐体との状態が変更したことを感知する、フレーム部材の内側に設けられた感知部と、感知部からフレーム部材と筐体との状態が変更したこと、例えばフレーム部材が筐体から外されたことを感知した信号を受けると、揮発性メモリの記憶内容を消去する制御部とを備え、前記フレーム部材の内側に、前記基板を前記磁気カード案内部材の下方に配置して収納させ、前記フレーム部材は、前記基板の周囲を囲う側壁、及び前記磁気ヘッドの外方に位置する側壁を備えている。
【０００７】
電子機器は、情報処理機能を備えた本体部と、本体部に設けられ、本体部からの画像内容を表示する表示部と、磁気ヘッドを備え、磁気カードの磁気情報を磁気ヘッドで読み出す磁気カード読取装置とを備えている。又電子機器は、本体部に取り付けられ、表示部と磁気カード読取装置とを収納する筐体と、磁気カード読取装置の内部に設けられ、磁気カード読取装置が筐体から取り外されたことを感知する感知部と、本体部が、磁気カード読取装置が正規なものであることを、予め定められた鍵を用いて確認する確認手段と、を備えている。
【０００８】
そして、電子機器は、磁気カード読取装置が筐体から取り外されたことが感知部により感知されると、磁気カード読取装置は鍵を確認手段において無効な鍵とし、本体部が、鍵により磁気カード読取装置を正規なものと認定しないこととする。
【図面の簡単な説明】
【０００９】
【図１】実施形態にかかる磁気カード読取装置を備えた電子機器の全体構成を示す斜視図。
【図２】表示部を開放した状態の電子機器を示す斜視図。
【図３】同磁気カード読取装置を分解して示す分解斜視図。
【図４】実施形態にかかる磁気カード読取装置を示す一部破断した斜視図。
【図５】磁気カード読取装置の制御部を示すブロック図。
【発明を実施するための形態】
【００１０】
図１は、実施形態にかかる磁気カード読取装置を備えた電子機器の全体構成を示す斜視図であり、図２は、表示部を開放した状態の電子機器を示す斜視図であり、図３は、実施形態にかかる磁気カード読取装置を構成部品に分解して示す分解斜視図であり、図４は、実施形態にかかる磁気カード読取装置の構成部品を組み付けた状態示す斜視図であり、図５は、磁気カード読取装置の制御部を示すブロック図である。
【００１１】
図１に、磁気カード読取装置１２を備えた電子機器１００を示す。電子機器１００は、例えば店舗等で用いられるＰＯＳ端末であり、本体部１０２と、本体部１０２に取り付けられた表示部１０４と、磁気カード読取部１０６と、印刷部１０８（図２参照）を備えている。
【００１２】
本体部１０２は、メインのＣＰＵ（主制御装置）や記憶手段を搭載したメインの基板や電源装置を備え、情報処理機能を有している。表示部１０４は、液晶表示装置などの表示画面１０５と、表示画面１０５上に設けられた透明のタッチパネル機能とを備え、本体部１０２からの画像内容を表示する。表示部１０４は、筐体１１０の内部に収容されている。筐体１１０は、例えば合成樹脂から形成され、表示部１０４全体を覆い、本体部１０２にヒンジ部を介して回動自在に取り付けられている。
【００１３】
磁気カード読取部１０６は、表示部１０４の側方に設けられている。磁気カード読取部１０６は、筐体１１０に形成された磁気カード挿入口１１２と、磁気カード読取装置１２とを備えて形成されている。磁気カード挿入口１１２は、磁気カードを通過させる切欠きであり、磁気カード挿入口１１２の位置に合わせて磁気カード読取装置１２が取り付けられている。磁気カード読取装置１２は、表示部１０４とともに筐体１１０の内部に取り付けられている。印刷部１０８は、図２に示すように本体部１０２の上面に設けられ、制御装置からの指示に従い印刷用紙に印刷を行う。
【００１４】
次に、実施形態にかかる磁気カード読取装置１２について、図３から図５を用いて説明する。磁気カード読取装置１２は、フレーム部材１４と、磁気カード案内部材１６と、磁気ヘッド基板１８とを備えている。
【００１５】
フレーム部材１４は、金属製で、底板２２と、側壁２４と、取付柱２６とを備えている。底板２２は、矩形で、磁気カード案内部材１６及び磁気ヘッド基板１８の平面の外形とほぼ同一の形状に形成されている。側壁２４は、底板２２の周囲から立ち上げられている。側壁２４は、図４に示すように磁気ヘッド基板１８の周囲を囲う基板用側壁１９と、磁気カード案内部材１６に搭載されている磁気ヘッド４４の外方を覆うヘッド用側壁２１とを備えて形成されている。
【００１６】
取付柱２６は、底板２２の四隅に設けられている。取付柱２６には、上部に、取付片２７が取付柱２６からほぼ直角に屈曲した状態で形成されている。取付片２７には、ねじ孔３２が形成されている。取付柱２６の底板２２から取付片２７までの高さ幅は、筐体１１０にねじ孔３２に通したねじ３３で磁気カード読取装置１２を固定したとき、後述するタンパスイッチ３４が磁気カード案内部材１６に押圧されて作動する高さ幅となっている。
【００１７】
磁気カード案内部材１６は、案内部材本体４２と、磁気ヘッド４４と、バッテリ取付部４６とを備えている。案内部材本体４２は、樹脂製で、中央に磁気カード通路４０を備えている。磁気カード通路４０は、略平行に形成された間隙で、磁気カードが通過する幅に形成されている。
【００１８】
磁気ヘッド４４は、案内部材本体４２に、磁気カード通路４０を挟んで対向して一対取り付けられている。尚、磁気ヘッド４４は、単体であってもよい。バッテリ取付部４６は、磁気ヘッド４４の側方に設けられ、バッテリ５０が取り付けられている。バッテリ５０は、後述するＲＡＭ５６の記憶保持用の電源である。
【００１９】
磁気ヘッド基板１８には、図５に示すような制御部５２が形成されている。又、磁気ヘッド基板１８には、感圧導電部材としてのタンパ用導通部材３８が設けられている。制御部５２は、ＣＰＵ５４と、ＲＯＭ（Read Only Memory）５５、ＲＡＭ（Randum Access Memory）５６、メインのＣＰＵと接続させるためのインタフェース５７と、ヘッドドライバ５８を備えている。ヘッドドライバ５８には磁気ヘッド４４が接続されている。
【００２０】
制御部５２は、磁気ヘッド４４が読み取った磁気カードの磁気情報を暗号化する暗号化機能を備えている。制御部５２は、磁気カード通路４０を通した磁気カードから磁気情報を磁気ヘッド４４により読み取ると、読み取った磁気情報を暗号化し、インタフェース５７を通して本体部１０２のメインのＣＰＵに送る。又、制御部５２とメインのＣＰＵとの間には、磁気情報の送信を安全に実施させるための確認手段を備えている。
【００２１】
送信のための確認は、制御部５２が、暗号化した磁気情報をメインのＣＰＵに送る前に行う。ＲＡＭ５６には、制御部５２がメインのＣＰＵとの間で確認を行うための暗号鍵が記憶されている。確認は、まず、制御部５２がＲＡＭ５６から暗号鍵を読み出し、読み出した暗号鍵を用いて行う。確認が正常に実施されると、制御部５２は、暗号化した磁気情報をメインのＣＰＵに送り出す。
【００２２】
ＲＡＭ５６は、バッテリ５０から電力の供給を受け、記憶内容を保持する揮発性メモリである。したがってＲＡＭ５６は、バッテリ５０から電力の供給が遮断されると、記憶している内容が全て消去される。
【００２３】
タンパ用導通部材３８は、通常の状態では電気抵抗が高く、導電性は有さない。そして、タンパ用導通部材３８は、表面が所定量押圧されて変形すると、電気抵抗が大きく低下し、導電性を奏する性質を有している。タンパ用導通部材３８は、磁気ヘッド基板１８の上面に設けられている。タンパ用導通部材３８は、ＣＰＵ５４に信号線で接続され、ＣＰＵ５４は、常にタンパ用導通部材３８における導電性の有無を監視している。タンパスイッチ３４は、感知部であり、図４に基板用側壁１９の一部を破断して示すようにタンパ用導通部材３８と感圧部材としてのタンパ部材３６により構成されている。
【００２４】
タンパスイッチ３４について説明する。タンパスイッチ３４は、タンパ部材３６と、前述したタンパ用導通部材３８とから形成されている。タンパ部材３６は、ほぼ円柱状で、磁気ヘッド基板１８と案内部材本体４２との間に設けられている。タンパ部材３６は、タンパ用導通部材３８に対向して設けられ、ねじ孔３２にねじ３３を通して磁気カード読取装置１２を筐体１１０に固定すると、案内部材本体４２に押し下げられタンパ用導通部材３８の表面を所定量押圧する。
【００２５】
又、磁気ヘッド基板１８には、通電遮断部６２を備えた通電遮断回路６０が形成されている。通電遮断部６２とタンパ用導通部材３８には、バッテリ５０の電源が常時通電されている。通電遮断回路６０は、タンパスイッチ３４がオン状態であると、通電遮断部６２がバッテリ５０からの電源をＲＡＭ５６に通電させる。そして、タンパ用導通部材３８からタンパ部材３６が離れ、タンパ用導通部材３８の導通がなくなると、通電遮断部６２は、バッテリ５０からＲＡＭ５６への電力の供給を遮断する。
【００２６】
次に、磁気カード読取装置１２を備えた電子機器１００の作用、効果について説明する。磁気カード読取装置１２は、フレーム部材１４の内側に磁気ヘッド基板１８と磁気カード案内部材１６を収容し、更に、タンパ部材３６を案内部材本体４２に組み付けて筐体１１０に取り付ける。各構成部品をフレーム部材１４の内側に組み付けた状態を図４に示す。
【００２７】
磁気カード読取装置１２は、取付柱２６のねじ孔３２にねじ３３を通し、筐体１１０の裏側から取り付けられる。案内部材本体４２に設けられた磁気カード通路４０は、筐体１１０に形成された磁気カード挿入口１１２に一致する。
【００２８】
タンパ部材３６は、案内部材本体４２に押し下げられ、タンパ用導通部材３８の表面を押圧する。これにより、タンパ用導通部材３８は、導電性を有し、タンパスイッチ３４が作動している状態となる。かかる状態では、通電遮断回路６０は、バッテリ５０からＲＡＭ５６への通電を行う。ＲＡＭ５６には、磁気情報送信の確認のための暗号鍵が記憶される。
【００２９】
制御部５２は、通常通り磁気カード読取装置１２を制御する。磁気カードが磁気カード挿入口１１２に差し入れられ、磁気ヘッド４４が磁気情報を読み込むと、磁気カードから読み取った磁気情報を暗号化し、更にＣＰＵ５４は、ＲＡＭ５６から暗号鍵を読み出し、メインのＣＰＵに送り出す。メインのＣＰＵで暗号鍵の照合がなされると、その旨の信号が磁気カード読取装置１２に返信される。
【００３０】
ＣＰＵ５４は、メインのＣＰＵから送られた応答信号を確認すると、磁気カードから読み取った磁気情報を暗号でメインのＣＰＵに送る。ＣＰＵ５４は、このようにして、磁気カード読取装置１２におけるカード処理を行う。
【００３１】
そして、不正行為者により筐体１１０が開かれたとする。磁気カード読取装置１２は、周囲に金属製のフレーム部材１４が設けられている。磁気カード読取装置１２の底面には底板２２が設けられ、磁気ヘッド基板１８の側方、及び磁気ヘッド４４の外方には側壁２４が設けられ、磁気ヘッド基板１８や磁気ヘッド４４に外部から不正な細工がしにくくなっている。
【００３２】
更に、不正行為者が、磁気ヘッド基板１８や磁気ヘッド４４への細工を目的として、取付柱２６のねじ３３を外し、筐体１１０の裏側からフレーム部材１４を取り外したとする。フレーム部材１４が筐体１１０から取り外されると、磁気ヘッド基板１８によるタンパ部材３６への押圧がなくなり、タンパ部材３６によるタンパ用導通部材３８の表面への押圧が解消される。タンパ用導通部材３８の表面への押圧動作が解消されると、タンパ用導通部材３８は、電気抵抗が増大し、タンパ用導通部材３８の導通がなくなったことが通電遮断部６２に認識される。
【００３３】
通電遮断部６２は、タンパ用導通部材３８の導通がなくなったことから、タンパスイッチ３４が作動したと判断し、バッテリ５０からのＲＡＭ５６への電力供給を停止する。ＲＡＭ５６は、記憶保持のための電力供給が停止されるので、ＲＡＭ５６が保持していた記憶内容は消去される。
【００３４】
そして、例えば、磁気ヘッド基板１８や磁気ヘッド４４に、磁気情報を盗み見したり、磁気情報を不正に発信するように加工を行い、磁気カード読取装置１２を元の状態に戻したとする。フレーム部材１４を筐体１１０に取り付け、磁気カード読取装置１２を不正行為以前の状態に取り付けたとしても、ＲＡＭ５６で消去された暗号鍵を含む記憶内容は消失されたままである。
【００３５】
かかる状態で、電子機器１００を通常に起動させ、電子機器１００を用いて作業を行ったとする。表示部１０４等は正常に作動し、商品管理や発注、伝票処理等、磁気カードの処理以外はなんら問題なく行うことができる。そして、磁気カードを磁気カード挿入口１１２に挿入して、カード処理を行おうとすると、ＣＰＵ５４は次のように作用する。
【００３６】
ＣＰＵ５４は、磁気カードから読み取った磁気情報を暗号化してメインのＣＰＵに送り出す前に、確認のための暗号鍵をＲＡＭ５６から読み出そうとする。ところが、ＲＡＭ５６は、タンパスイッチ３４が作動した際に、記憶保持のための電力が遮断されているので、暗号鍵の内容が消失されており、保持していない。
【００３７】
ＣＰＵ５４は、ＲＡＭ５６から暗号鍵を読み出せないため、暗号鍵をメインのＣＰＵに送ることができず、メインのＣＰＵは磁気カード読取装置１２の確認が行なえない。これにより、磁気カード読取装置１２は、電子機器１００において磁気ヘッドの読取装置として機能しなくなる。
【００３８】
このように、一度、フレーム部材１４が筐体１１０から外され、磁気カード読取装置１２の組み付けが解除されると、タンパスイッチ３４が作動し、磁気カード読取装置１２は機能しなくなる。そのため、仮に、磁気カード読取装置１２に不正な細工が施されたとしても、磁気カード読取装置１２が機能しないため、磁気カード情報が盗用されたりすることがない。
【００３９】
一方、表示部１０４を修理したり点検等を行うため、筐体１１０を開放させても、フレーム部材１４を取り外さなければ、磁気カード読取装置１２のタンパスイッチ３４は作動しない。そのため、表示部１０４を修理する等した場合でも、磁気カード読取装置１２における磁気カードの処理が実行できなくなるなどの不具合は生じない。
【００４０】
尚、前記実施形態では、感知部としてのタンパスイッチ３４を、磁気ヘッド基板１８と磁気カード読取装置１２との間に設けたが、フレーム部材１４が取り外されたことが感知できれば、感知部は他の箇所に設けられていてもよい。又、感知部は、タンパスイッチ３４として、タンパ用導通部材３８とタンパ部材３６から構成するのみではなく、他の部材から構成してもよい。更に、タンパ処理は、ＲＡＭ５６に記憶されている暗号鍵の消去でなく、他の処理であってもよい。
【００４１】
又、磁気カード読取装置１２は、磁気カードを縦にして挿入するようにしたが、これに限らず、横から磁気カードを挿入するように設定してもよい。
【００４２】
この他、本発明のいくつかの例を説明したが、これらは、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら例やその変形は、発明の範囲や要旨に含まれるとともに、特許請求の範囲に記載された発明とその均等の範囲に含まれる。
以下、本願の出願当初の特許請求の範囲に記載された発明を付記する。
［１］磁気カードを通す磁気カード通路を有し、前記磁気カード通路に、前記磁気カード通路を通る磁気カードから磁気情報を読み取る磁気ヘッドを設けた磁気カード案内部材と、
前記磁気情報の送信に用いられる暗号鍵を記憶する揮発性メモリを搭載した基板と、前記磁気カード案内部材と前記基板とを内部に収容した状態で筐体に取り付けられ、前記筐体に前記磁気カード案内部材と前記基板とを固定するフレーム部材と、
前記フレーム部材の内部に設けられ、前記フレーム部材と前記筐体との状態が変更したことを感知する感知部と、前記感知部により前記フレーム部材と前記筐体との状態が変更したことが感知されると、前記揮発性メモリに記憶されている内容を消去する制御部と、
を備えたことを特徴とする磁気カード読取装置。
［２］前記感知部は、前記基板に設けられた感圧導電部材と、前記磁気カード案内部材と前記基板との間に設けられ、前記磁気カード読取装置を前記筐体に取り付けると、前記磁気カード案内部材に押圧されて、前記感圧導電部材の導通状態を変更させる感圧部材とからなることを特徴とする[１]に記載の磁気カード読取装置。
［３］前記磁気カード読取装置は、バッテリを更に具備し、前記バッテリにより前記揮発性メモリの記憶内容を保持させ、一方、前記バッテリから前記揮発性メモリへの導通を遮断することにより前記揮発性メモリに記憶されている内容を消去させ、前記磁気情報の送信を不能にすることを特徴とする［１］又は［２］に記載の磁気カード読取装置。
［４］前記フレーム部材の内側に、前記基板を前記磁気カード案内部材の下方に配置して収納させ、前記フレーム部材は、前記基板の周囲を囲う側壁、及び前記磁気ヘッドの外方に位置する側壁とを備えていることを特徴とする［１］〜［３］のいずれか１つに記載の磁気カード読取装置。
［５］情報処理機能を備えた本体部と、
前記本体部に設けられ、前記本体部からの画像内容を表示する表示部と、
磁気ヘッドを備え、磁気カードの磁気情報を前記磁気ヘッドで読み出す磁気カード読取装置と、
前記本体部に取り付けられ、前記表示部と前記磁気カード読取装置とを収納する筐体と、
前記磁気カード読取装置の内部に設けられ、前記磁気カード読取装置が前記筐体から取り外されたことを感知する感知部と、
前記本体部が、前記磁気カード読取装置が正規なものであることを、予め定められた鍵を用いて確認する確認手段と、を備え、記磁気カード読取装置が前記筐体から取り外されたことが前記感知部により感知されると、前記磁気カード読取装置は前記鍵を前記確認手段において無効な鍵とし、前記本体部が、前記鍵により前記磁気カード読取装置を正規なものと認定しないことを特徴とする電子機器。
［６］前記磁気カード読取装置は、揮発性メモリとバッテリとを更に具備し、前記鍵を前記揮発性メモリに記憶させ、前記揮発性メモリへの前記バッテリからの通電を遮断することにより前記鍵を前記揮発性メモリから消去して、前記鍵を前記確認手段において無効な鍵とすることを特徴とする［５］に記載の電子機器。
【符号の説明】
【００４３】
１２…磁気カード読取装置、１４…フレーム部材、１６…磁気カード案内部材、１８…磁気ヘッド基板、２２…底板、２４…側壁、２６…取付柱、３２…ねじ孔、３３…ねじ、３４…タンパスイッチ、３６…タンパ部材、３８…タンパ用導通部材、４０…磁気カード通路、４２…案内部材本体、４４…磁気ヘッド、４６…バッテリ取付部、５０…バッテリ、５２…制御部、５４…ＣＰＵ、５５…ＲＯＭ、５６…ＲＡＭ、５７…インタフェース、５８…ヘッドドライバ、６０…通電遮断回路、６２…通電遮断部、１００…電子機器、１０２…本体部、１０４…表示部、１０６…磁気カード読取部、１０８…印刷部、１１０…筐体、１１２…磁気カード挿入口。
【図１】
0005449430.tif 000002
【図２】
0005449430.tif 000003
【図３】
0005449430.tif 000004
【図４】
0005449430.tif 000005
【図５】
0005449430.tif 000006